(57)【要約】【課題】上部開口を容易に開閉可能な袋として使用することができるとともに、外気との遮断が必要な物を収容する袋として使用することができるジッパー付き袋を提供する。【解決手段】ジッパー付き袋１０Ａは、互いに対向する可撓性のフィルム２５ａ，２５ｂから作られて収容空間１３に所定の物を収容する袋１１と、袋１１の上端部１５に位置するジッパー１４とを備えている。ジッパー１４は、袋１１の上端部１５に位置して上端部１５を横方向へ延びるスライダー付きジッパー２１と、スライダー付きジッパー２１の下方近傍に位置して上端部１５を横方向へ延びる密閉ジッパー２２と、密閉ジッパー２２の下方近傍に位置して上端部１５を横方向へ延びる補助ジッパー２３とから形成されている。【選択図】図１
2018203349.tif 000002
【特許請求の範囲】
【請求項１】
互いに対向する可撓性のフィルムから作られてその内部に所定の物を収容する袋と、前記袋の上端部に位置するジッパーとを備え、前記ジッパーを利用して前記袋の上部開口を閉鎖可能および開放可能なジッパー付き袋において、
前記ジッパーが、前記袋の上端部に位置して該上端部を横方向へ延びるスライダー付きジッパーと、前記スライダー付きジッパーの下方近傍に位置して前記上端部を横方向へ延びる密閉ジッパーとを含み、前記スライダー付きジッパーが、それらフィルムのうちのいずれか一方の内面に位置して横方向へ延びる第１凸型レールと、それらフィルムのうちのいずれか他方の内面に位置して横方向へ延びていて前記第１凸型レールに対向する第１凹型レールと、横方向へ往復移動させることで前記第１凸型レールと前記第１凹型レールとを嵌合させるとともに該第１凸状レールと該第１凹状レールとの嵌合を解除するスライダーとから形成され、前記密閉ジッパーが、それらフィルムのうちのいずれか一方の内面に位置して横方向へ延びる第２凸型レールと、それらフィルムのうちのいずれか他方の内面に位置して横方向へ延びていて前記第２凸型レールに対向し、該第２凸型レールを嵌脱可能に嵌合させる第２凹型レールとから形成されていることを特徴とするジッパー付き袋。
【請求項２】
前記ジッパーが、前記密閉ジッパーの下方近傍に位置して該上端部を横方向へ延びる補助ジッパーを含み、前記補助ジッパーが、それらフィルムのうちのいずれか一方の内面に位置して横方向へ延びる第３凸型レールと、それらフィルムのうちのいずれか他方の内面に位置して横方向へ延びていて前記第３凸型レールに対向し、該第３凸型レールを嵌脱可能に嵌合させる第３凹型レールとから形成されている請求項１に記載のジッパー付き袋。
【請求項３】
前記密閉ジッパーが、縦方向へ並ぶ２本の前記第２凸型レールと、縦方向へ並んでいて前記２本の第２凸型レールに対向し、それら第２凸型レールを嵌脱可能に嵌合させる２本の前記第２凹型レールとから形成されている請求項１または請求項２に記載のジッパー付き袋。
【請求項４】
前記袋が、前記スライダー付きジッパーと前記密閉ジッパーとの間に延びる前記フィルムのシール箇所に形成されて該袋の上端部の一方の側縁と他方の側縁との少なくとも一方から横方向内方へ延びる切り口を有し、前記ジッパー付き袋では、前記切り口から前記フィルムを横方向へ切断することで該ジッパー付き袋から前記スライダー付きジッパーを取り除くことが可能である請求項１ないし請求項３いずれかに記載のジッパー付き袋。
【請求項５】
前記袋が、その上端部の一方の側縁から横方向外方へ延びる前記フィルムから作られた第１延出部分を有し、前記スライダー付きジッパーの第１凸型レールと第１凹型レールとが、前記袋の第１延出部分に位置し、前記ジッパー付き袋では、前記スライダーを前記第１延出部分に移動させることで、前記袋の上端部と前記第１延出部分とにおいて前記第１凸型レールと前記第１凹型レールとが嵌合する請求項１ないし請求項４いずれかに記載のジッパー付き袋。
【請求項６】
前記袋が、その上端部の他方の側縁から横方向外方へ延びる前記フィルムから作られた第２延出部分を有し、前記スライダー付きジッパーの第１凸型レールと第１凹型レールとが、前記袋の第２延出部分に位置し、前記ジッパー付き袋では、前記スライダーを前記第１延出部分から前記第２延出部分に移動させることで、前記袋の上端部と前記第１および第２延出部分とにおいて前記第１凸型レールと前記第１凹型レールとの嵌合が解除される請求項５に記載のジッパー付き袋。
【請求項７】
前記密閉ジッパーの第２凹型レールに向かって凸となる複数の凸部分が、前記密閉ジッパーの第２凸型レールに形成されて横方向へ間欠的に並び、前記ジッパー付き袋では、前記密閉ジッパーの第２凸型レールと第２凹型レールとを嵌合させるときに、それら凸部分の突き出る感覚が指に伝わる請求項１ないし請求項６いずれかに記載のジッパー付き袋。
【請求項８】
前記スライダー付きジッパーの第１凹型レールに向かって凸となる複数の凸部または複数の段差が、前記スライダー付きジッパーの第１凸型レールに形成されて横方向へ間欠的に並び、前記ジッパー付き袋では、前記スライダーを横方向へ移動させて前記第１凸型レールと前記第１凹型レールとを嵌合させるときに、それら凸部またはそれら段差によって前記第１凸型レールと前記第１凹型レールとの嵌合音が発生する請求項１ないし請求項７いずれかに記載のジッパー付き袋。
【発明の詳細な説明】
【技術分野】
【０００１】
本発明は、袋の上部開口を開閉可能なジッパーを備えたジッパー付き袋に関する。
【背景技術】
【０００２】
内部に所定の物を収容する袋も上端部にジッパーを有する各種のジッパー付き袋が使用されている（たとえば、特許文献１、特許文献２参照）。ジッパー付き袋は、ジッパーを利用して袋の上部開口を開閉することができる。ジッパーとしては、凸型レールおよび凹型レールとそれらレールを嵌脱可能に嵌合させるスライダーとから形成されたスライダー付きジッパーが利用され、または、凸型レールと凹型レールとから形成された密閉ジッパーが利用される。スライダー付きジッパーは、スライダーを横方向一方へ移動させることで凸型レールと凹型レールとを嵌合させ、スライダーを横方向他方へ移動させることで凸状レールと凹状レールとの嵌合を解除する。密閉ジッパーは、一方の手の指で袋の上端部の側縁近傍を摘持しつつ、凸型レールと凹型レールとを他方の手の指で挟み込み、それらレールを挟み込んだ状態で指を横方向一方へ移動させることで凸型レールと凹型レールとを嵌合させる。密閉ジッパーの凸型レールと凹型レールとの嵌合を解除するには、密閉ジッパーの上方に延びる袋の上端部を両手の指で摘持し、凸型レールと凹型レールとが離間するように袋の上端部を横方向外方へ引っ張り、凸型レールと凹型レールとの嵌合を解除する。
【先行技術文献】
【特許文献】
【０００３】
【特許文献１】特開２０１３−５６６７８号公報
【特許文献２】実用新案登録第３１９５９６２号
【発明の概要】
【発明が解決しようとする課題】
【０００４】
スライダー付きジッパーは、スライダーを横方向へ往復移動させることで凸型レールと凹型レールとを嵌合させることができとともに凸状レールと凹状レールとの嵌合を解除することができるから、袋の上部開口を容易に開閉することができるというメリットがある反面、袋の一方の側縁にスライダーが位置したときに、袋の側縁の側に延びる凸状レールと凹状レールとを嵌合させることができず、袋の側縁に隙間が生じ、袋の上端開口を完全に密閉することができないというデメリットがある。したがって、スライダー付きジッパーは、上部開口を手間を要せず容易に開閉する必要がある袋に好適に使用することができるが、外気との遮断が必要な物の収容に使用される袋や袋の外部へ物が漏出しないことが必要な袋には適さない。
【０００５】
一方、密閉ジッパーは、凸型レールと凹型レールとを嵌合させることで、袋の上部開口を密閉することができるというメリットがある反面、凸型レールと凹型レールとを嵌合させる場合、凸型レールと凹型レールとを他方の手の指で挟み込んだ状態で指を横方向一方へ移動させる必要があり、凸型レールと凹型レールとの嵌合を解除させる場合、密閉ジッパーの上方に延びる袋の上端部を両手の指で摘持しつつ、袋の上端部を横方向外方へ引っ張る必要があり、袋の上部開口の菓子丙に開閉に手間を要する。したがって、密閉ジッパーは、外気との遮断が必要な物の収容に使用される袋や袋の外部へ物が漏出しないことが必要な袋に好適に使用することができるが、上部開口を手間を要せず容易に開閉する必要がある袋には適さない。
【０００６】
本発明の目的は、上部開口を手間を要せず容易に開閉する必要がある袋として使用することができるとともに、外気との遮断が必要な物を収容する袋や袋の外部へ物が漏出しないことが必要な袋として使用することができるジッパー付き袋を提供することにある。
【課題を解決するための手段】
【０００７】
前記課題を解決するための本発明の前提は、互いに対向する可撓性のフィルムから作られてその内部に所定の物を収容する袋と、袋の上端部に位置するジッパーとを備え、ジッパーを利用して袋の上部開口を閉鎖可能および開放可能なジッパー付き袋である。
【０００８】
前記前提における本発明のジッパー付き袋の特徴は、ジッパーが、袋の上端部に位置して上端部を横方向へ延びるスライダー付きジッパーと、スライダー付きジッパーの下方近傍に位置して上端部を横方向へ延びる密閉ジッパーとを含み、スライダー付きジッパーが、それらフィルムのうちのいずれか一方の内面に位置して横方向へ延びる第１凸型レールと、それらフィルムのうちのいずれか他方の内面に位置して横方向へ延びていて第１凸型レールに対向する第１凹型レールと、横方向へ往復移動させることで第１凸型レールと第１凹型レールとを嵌合させるとともに第１凸状レールと第１凹状レールとの嵌合を解除するスライダーとから形成され、密閉ジッパーが、それらフィルムのうちのいずれか一方の内面に位置して横方向へ延びる第２凸型レールと、それらフィルムのうちのいずれか他方の内面に位置して横方向へ延びていて第２凸型レールに対向し、第２凸型レールを嵌脱可能に嵌合させる第２凹型レールとから形成されていることにある。
【０００９】
本発明のジッパー付き袋の一例としては、ジッパーが、密閉ジッパーの下方近傍に位置して上端部を横方向へ延びる補助ジッパーを含み、補助ジッパーが、それらフィルムのうちのいずれか一方の内面に位置して横方向へ延びる第３凸型レールと、それらフィルムのうちのいずれか他方の内面に位置して横方向へ延びていて第３凸型レールに対向し、第３凸型レールを嵌脱可能に嵌合させる第３凹型レールとから形成されている。
【００１０】
本発明のジッパー付き袋の他の一例としては、密閉ジッパーが、縦方向へ並ぶ２本の前記第２凸型レールと、縦方向へ並んでいて２本の第２凸型レールに対向し、それら第２凸型レールを嵌脱可能に嵌合させる２本の第２凹型レールとから形成されている。
【００１１】
本発明のジッパー付き袋の他の一例としては、袋が、スライダー付きジッパーと密閉ジッパーとの間に延びるフィルムのシール箇所に形成されて袋の上端部の一方の側縁と他方の側縁との少なくとも一方から横方向内方へ延びる切り口を有し、ジッパー付き袋では、切り口からフィルムを横方向へ切断することでジッパー付き袋からスライダー付きジッパーを取り除くことが可能である。
【００１２】
本発明のジッパー付き袋の他の一例としては、袋が、その上端部の一方の側縁から横方向外方へ延びるフィルムから作られた第１延出部分を有し、スライダー付きジッパーの第１凸型レールと第１凹型レールとが、袋の第１延出部分に位置し、ジッパー付き袋では、スライダーを第１延出部分に移動させることで、袋の上端部と第１延出部分とにおいて第１凸型レールと第１凹型レールとが嵌合する。
【００１３】
本発明のジッパー付き袋の他の一例としては、袋が、その上端部の他方の側縁から横方向外方へ延びるフィルムから作られた第２延出部分を有し、スライダー付きジッパーの第１凸型レールと第１凹型レールとが、袋の第２延出部分に位置し、ジッパー付き袋では、スライダーを第１延出部分から第２延出部分に移動させることで、袋の上端部と第１および第２延出部分とにおいて第１凸型レールと第１凹型レールとの嵌合が解除される。
【００１４】
本発明のジッパー付き袋の他の一例としては、密閉ジッパーの第２凹型レールに向かって凸となる複数の凸部分が、密閉ジッパーの第２凸型レールに形成されて横方向へ間欠的に並び、ジッパー付き袋では、密閉ジッパーの第２凸型レールと第２凹型レールとを嵌合させるときに、それら凸部分の突き出る感覚が指に伝わる。
【００１５】
本発明のジッパー付き袋の他の一例としては、スライダー付きジッパーの第１凹型レールに向かって凸となる複数の凸部または複数の段差が、スライダー付きジッパーの第１凸型レールに形成されて横方向へ間欠的に並び、ジッパー付き袋では、スライダーを横方向へ移動させて第１凸型レールと第１凹型レールとを嵌合させるときに、それら凸部またはそれら段差によって第１凸型レールと第１凹型レールとの嵌合音が発生する。
【発明の効果】
【００１６】
本発明に係るジッパー付き袋によれば、ジッパーが袋の上端部に位置するスライダー付きジッパーとスライダー付きジッパーの下方近傍に位置する密閉ジッパーとから形成され、スライダーを利用して第１凸型レールと第１凹型レールとを嵌合させることで袋の上部開口を閉じることができ、スライダーを利用して第１凸型レールと第１凹型レールとの嵌合を解除することで袋の上部開口を開けることができるから、上部開口を手間を要せず容易に開閉する必要がある袋として使用することができるとともに、密閉ジッパーの第２凸型レールと第２凹型レールとを嵌合させることで袋の上部開口を密閉することができるから、外気との遮断が必要な物を収容する袋や外部へ物が漏出しないことが必要な袋として使用することができる。ジッパー付き袋は、密閉ジッパーの第２凸型レールと第２凹型レールとを嵌合させて袋の上部開口を密閉し、必要ならば、スライダーを利用してスライダー付きジッパーの第１凸型レールと第１凹型レールとを嵌合させることで、収容した物の外気との接触を防ぐことができ、収容した物の外部への漏出を防ぐことができる。ジッパー付き袋は、密閉ジッパーの第２凸型レールと第２凹型レールとの嵌合を解除した状態で、スライダーを利用してスライダー付きジッパーの第１凸型レールと第１凹型レールとを嵌合させ、スライダーを利用して第１凸型レールと第１凹型レールとの嵌合を解除することで、袋の上部開口を手間を要せず容易に開閉することができる。ジッパー付き袋は、密閉ジッパーの第２凸型レールと第２凹型レールとを嵌合させ、スライダー付きジッパーの第１凸型レールと第１凹型レールとを嵌合させることで、所定の原因で密閉ジッパーの第２凸型レールと第２凹型レールとの嵌合が不用意に解除され、または、所定の原因でスライダー付きジッパーの第１凸型レールと第１凹型レールとの嵌合が不用意に解除されたとしても、密閉ジッパーとスライダー付きジッパーとのいずれか一方によって袋の上部開口の閉じた状態を保持することができる。
【００１７】
ジッパーが密閉ジッパーの下方近傍に位置して上端部を横方向へ延びる補助ジッパーを含み、補助ジッパーがそれらフィルムのうちのいずれか一方の内面に位置する第３凸型レールとそれらフィルムのうちのいずれか他方の内面に位置する第３凹型レールとから形成されているジッパー付き袋は、上部開口を手間を要せず容易に開閉する必要がある袋として使用することができるとともに、密閉ジッパーの第２凸型レールと第２凹型レールとを嵌合させ、補助ジッパーの第３凸型レールと第３凹型レールとを嵌合させることで袋の上部開口を確実に密閉することができるから、外気との遮断が必要な物を収容する袋や外部へ物が漏出しないことが必要な袋として使用することができる。ジッパー付き袋は、密閉ジッパーの第２凸型レールと第２凹型レールとを嵌合させ、補助ジッパーの第３凸型レールと第３凹型レールとを嵌合させて袋の上部開口を密閉し、必要ならば、スライダーを利用してスライダー付きジッパーの第１凸型レールと第１凹型レールとを嵌合させることで、収容した物の外気との接触を確実に防ぐことができ、収容した物の外部への漏出を確実に防ぐことができる。
【００１８】
密閉ジッパーが縦方向へ並ぶ２本の第２凸型レールと縦方向へ並んでいて２本の第２凸型レールに対向する２本の第２凹型レールとから形成されているジッパー付き袋は、上部開口を手間を要せず容易に開閉する必要がある袋として使用することができるとともに、密閉ジッパーのそれら第２凸型レールとそれら第２凹型レールとを嵌合させることで袋の上部開口を密閉することができるから、外気との遮断が必要な物を収容する袋や外部へ物が漏出しないことが必要な袋として使用することができる。ジッパー付き袋は、密閉ジッパーのそれら第２凸型レールとそれら第２凹型レールとを嵌合させて袋の上部開口を密閉し、必要ならば、スライダーを利用してスライダー付きジッパーの第１凸型レールと第１凹型レールとを嵌合させることで、収容した物の外気との接触を確実に防ぐことができ、収容した物の外部への漏出を確実に防ぐことができる。
【００１９】
スライダー付きジッパーと密閉ジッパーとの間に延びるフィルムのシール箇所に形成されて袋の上端部の一方の側縁と他方の側縁との少なくとも一方から横方向内方へ延びる切り口を有し、切り口からフィルムを横方向へ切断することでジッパー付き袋からスライダー付きジッパーを取り除くことが可能なジッパー付き袋は、上部開口を手間を要せず容易に開閉する必要がなく、外気との遮断が必要な物を収容する袋や外部へ物が漏出しないことが必要な袋としてのみ使用する場合、切り口からフィルムを横方向へ切断し、ジッパー付き袋から不要なスライダー付きジッパーを取り除くことができ、密閉ジッパーのみを残すことができる。ジッパー付き袋は、スライダー付きジッパーを取り除く以前の状態において、上部開口を手間を要せず容易に開閉する必要がある袋として使用することができるとともに、外気との遮断が必要な物を収容する袋や外部へ物が漏出しないことが必要な袋として使用することができる。また、スライダー付きジッパーを取り除いた状態において、外気との遮断が必要な物を収容する袋や外部へ物が漏出しないことが必要な袋としてのみ使用することができる。
【００２０】
袋がその上端部の一方の側縁から横方向外方へ延びるフィルムから作られた第１延出部分を有し、スライダー付きジッパーの第１凸型レールと第１凹型レールとが袋の第１延出部分に位置し、スライダーを第１延出部分に移動させることで、袋の上端部と第１延出部分とにおいて第１凸型レールと第１凹型レールとが嵌合するジッパー付き袋は、スライダーが袋の上端部の一方の側縁に位置すると袋の一方の側縁において第１凸型レールと第１凹型レールとが嵌合しない箇所が生じ、袋の上端部の一方の側縁において隙間が生じるが、袋の上端部と第１延出部分とに位置する第１凸型レールと第１凹型レールとをスライダーによって嵌合させることで、袋の上端部の一方の側縁において隙間が生じることはなく、スライダー付きジッパーによって袋の上部開口を密閉することができる。ジッパー付き袋は、スライダー付きジッパーの第１凸型レールと第１凹型レールとを嵌合させ、密閉ジッパーの第２凸型レールと第２凹型レールとを嵌合させることで、スライダー付きジッパーと密閉ジッパーとによって袋の上部開口を密閉することができるから、収容した物の外気との接触を確実に防ぐことができ、収容した物の外部への漏出を確実に防ぐことができる。
【００２１】
袋がその上端部の他方の側縁から横方向外方へ延びるフィルムから作られた第２延出部分を有し、スライダー付きジッパーの第１凸型レールと第１凹型レールとが袋の第２延出部分に位置し、スライダーを第１延出部分から第２延出部分に移動させることで、袋の上端部と第１および第２延出部分とにおいて第１凸型レールと第１凹型レールとの嵌合が解除されるジッパー付き袋は、第１凸型レールと第１凹型レールとの嵌合が解除された時点でスライダーが第２延出部分に位置するから、スライダーが袋の上端部の側縁に位置する場合と比較し、スライダーが袋の内部への物の収容や袋の内部からの物の取り出しの邪魔になることはなく、たとえば袋の横寸法と略同一の幅寸法を有する物を袋の上部開口から袋の内部に収容することができ、物を袋の内部から容易に取り出すことができる。
【００２２】
密閉ジッパーの第２凹型レールに向かって凸となる複数の凸部分が密閉ジッパーの第２凸型レールに形成されて横方向へ間欠的に並び、密閉ジッパーの第２凸型レールと第２凹型レールとを嵌合させるときに、それら凸部分の突き出る感覚が指に伝わるジッパー付き袋は、横方向へ間欠的に並ぶ複数の凸部分が第２凸型レールに形成されているから、第２凸型レールと第２凹型レールとを指で挟み込んだ状態で指を横方向へ移動させ、第２凸型レールと第２凹型レールとを嵌合させるときに、それら凸部分の突き出る感覚が指に確実に伝わり、袋の上部開口が密閉ジッパーによって密閉されたことを指の感覚で確認することができる。
【００２３】
スライダー付きジッパーの第１凹型レールに向かって凸となる複数の凸部または複数の段差がスライダー付きジッパーの第１凸型レールに形成されて横方向へ間欠的に並び、スライダーを横方向へ移動させて第１凸型レールと第１凹型レールとを嵌合させるときに、それら凸部またはそれら段差によって第１凸型レールと第１凹型レールとの嵌合音が発生するジッパー付き袋は、横方向へ間欠的に並ぶ複数の凸部または横方向へ間欠的に並ぶ複数の段差が第１凸型レールに形成され、スライダーを横方向へ移動させて第１凸型レールと第１凹型レールとを嵌合させるときに、それら凸部またはそれら段差によって第１凸型レールと第１凹型レールとの嵌合音が発生するから、袋の上部開口がスライダー付きジッパーによって閉じられたことをその嵌合音によって確認することができる。
【図面の簡単な説明】
【００２４】
【図１】一例として示すジッパー付き袋の斜視図。
【図２】図１のジッパー付き袋の正面図。
【図３】一例として示すスライダー付きジッパーの部分拡大図。
【図４】一例として示す密閉ジッパーおよび補助ジッパーの部分拡大図。
【図５】使用態様の一例を示すジッパー付き袋の斜視図。
【図６】使用態様の他の一例を示すジッパー付き袋の斜視図。
【図７】他の一例として示すジッパー付き袋の正面図。
【図８】他の一例として示すジッパー付き袋の斜視図。
【図９】図８のジッパー付き袋の正面図。
【図１０】他の一例として示すジッパー付き袋の斜視図。
【図１１】図１０のジッパー付き袋の正面図。
【発明を実施するための形態】
【００２５】
一例として示すジッパー付き袋１０Ａの斜視図である図１等の添付の図面を参照し、本発明に係るジッパー付き袋の詳細を説明すると、以下のとおりである。なお、図２は、ジッパー付き袋１０Ａの正面図であり、図３は、一例として示すスライダー付きジッパーの部分拡大図である。図４は、一例として示す密閉ジッパーおよび補助ジッパーの部分拡大図である。図１では、袋１１の上部開口１２が開放された状態で示す。図２では、横方向を矢印Ａで示し、縦方向を矢印Ｂで示す。
【００２６】
ジッパー付き袋１０Ａは、内部に所定容積の収容空間１３が形成された袋１１（袋本体）と、袋１１の後記する上部開口１２を開閉可能に封鎖するジッパー１４（チャック機構）とを備え、収容空間１３に所定の物（収容物）を収容する。袋１１は、可撓性を有して互いに対向するフィルム２５ａ，２５ｂ（シート）から作られている。袋１１は、上端部１５および下端部１７と、それら端部１５，１７の間に位置する中間部１６と、両側縁１８，１９（一方の側縁１８および他方の側縁１９）とを有する。上端部１５には、物を収容または取り出す上部開口１２が画成されている。
【００２７】
袋１１は、その下端部１７にマチ２０（底フィルム）を有し、熱シールや超音波シール、溶断ヒータによって両側縁１８，１９がシールされるとともに、マチ２０が下端部１７にシールされることによって作られている。図１では、袋１１としてスタンド袋（自立型袋）を図示しているが、ジッパー付き袋１０Ａ〜１０Ｄを形成する袋１１の形状や種類に特に制限はなく、二方シール袋や三方シール袋、底ガゼット袋、サイドシール袋、ボトムシール袋のいずれであってもよい。
【００２８】
袋１１を作るフィルム２５ａ，２５ｂには、ポリエチレンフィルム（ＰＥフィルム）やポリプロピレンフィルム（ＰＰフィルム）、エチレン・酢酸ビニル共重合体フィルム（ＥＶＡフィルム）、二軸延伸ポリプロピレンフィルム（ＯＰフィルム）、ＰＶＤＣ樹脂コートＯＰＰフィルム（ＫＯＰフィルム）、無延伸ポリプロピレンフィルム（ＣＰフィルム）、ナイロンフィルム（ＮＹフィルム）、二軸延伸ハイガスバリアナイロンフィルム（バリアＮＹフィルム）、ポリエステルフィルム（ＰＥＴフィルム）、透明蒸着ポリエステルフィルム（透明蒸着ＰＥＴフィルム）、塩化ビニルフィルム、各種のフィルムをラミネートしたラミネートフィルム、各種のフィルムにアルミを蒸着したアルミ蒸着フィルム等を使用することができる。
【００２９】
袋１１では、ジッパー１４を利用することでその上部開口１２を閉鎖可能および開放可能であり、上部開口１２の開閉を複数回繰り返すことができる。ジッパー１４は、袋１１の上端部１５に位置して横方向へ延びている。ジッパー１４は、袋１１の上端部１５に位置するスライダー付きジッパー２１と、スライダー付きジッパー２１の下方近傍に位置する密閉ジッパー２２と、密閉ジッパー２２の下方近傍に位置する補助ジッパー２３とから形成されている。
【００３０】
スライダー付きジッパー２１と密閉ジッパー２２との間には、袋１１（フィルム２５ａ，２５ｂ）が位置し、密閉ジッパー２２と補助ジッパー２３との間には、袋１１（フィルム２５ａ，２５ｂ）が位置している。スライダー付きジッパー２１と密閉ジッパー２２との間に位置する袋１１には、フィルム２５ａ，２５ｂの内面から凸となる複数の凸条２４が形成されている。それら凸条２４は、フィルム２５ａ，２５ｂと一体に成形され、縦方向へ等間隔離間した状態で横方向へ平行して延びている。
【００３１】
スライダー付きジッパー２１は、袋１１の上端部１５において横方向へ延びており、上端部１５を横断している。スライダー付きジッパー２１は、図２に示すように、一方のフィルム２５ａの内面に位置する１本の第１凸型レール２６ａ，２６ｂと、他方のフィルム２５ｂの内面に位置する１本の第１凹型レール２７ａ，２７ｂと、袋１１の上端部１５に位置して第１凸型レール２６ａ，２６ｂと第１凹型レール２７ａ，２７ｂとを挟むスライダー２８とから形成されている。
【００３２】
第１凸型レール２６ａ，２６ｂ（２条のレール）は、フィルム２５ａ，２５ｂと同一の合成樹脂から作られ、フィルム２５ａと一体に成形されている。第１凸型レール２６ａ，２６ｂは、袋１１の上端部１５に位置して横方向へ延びており、袋１１の一方の側縁１８と他方の側縁１９との間に形成されて上端部１５を横断している。第１凸型レール２６ａは、第１凹型レール２７ａに対向し、第１凸型レール２６ｂは、第１凹型レール２７ｂに対向している。第１凸型レール２６ａには、第１凹型レール２７に向かって凸となる複数の凸部２９が形成されている。それら凸部２９は、第１凸型レール２６ａにおいて横方向へ間欠的（等間隔離間）に並んでいる。なお、図示はしていないが、第１凸型レール２６ａには、凸部２９ではなく、複数の段差（凹凸）が形成され、それら段差が第１凸型レール２６ａにおいて横方向へ間欠的（等間隔離間）に並んでいてもよい。
【００３３】
第１凹型レール２７ａ，２７ｂは、フィルム２５ａ，２５ｂと同一の合成樹脂から作られ、フィルム２５ｂと一体に成形されている。第１凹型レール２７ａ，２７ｂは、袋１１の上端部１５に位置して横方向へ平行して延びており、袋１１の一方の側縁１８と他方の側縁１９との間に形成されて上端部１５を横断している。第１凹型レール２７ａ，２７ｂは、第１凸型レール２６ａ，２６ｂが嵌入する嵌入溝３０を有し、第１凸型レール２６ａ，２６ｂに対向している。第１凹型レール２７ａ，２７ｂの嵌入溝３０には、第１凸型レール２６ａ，２６ｂが嵌脱可能に嵌合する（嵌り込む）。なお、第１凸型レール２６ａ，２６ｂが他方のフィルム２５ｂの内面に位置し、フィルム２５ｂと一体に成形されていてもよく、第１凹型レール２７ａ，２７ｂが一方のフィルム２５ａの内面に位置し、フィルム２５ａと一体に成形されていてもよい。
【００３４】
スライダー２８は、合成樹脂から作られ、袋１１の上端縁１５において横方向へスライド可能（移動可能）である。スライダー２８の上部には、第１凸型レール２６ａと第１凹型レール２７ａとの間に位置するガイド板２８ａが設置されている。スライダー２８は、それを横方向へ往復移動させることで第１凸型レール２６と第１凹型レール２７とを嵌合させるとともに、第１凸型レール２６と第１凹型レール２７との嵌合を解除する。なお、スライダー付きジッパー２１は図示のそれに限定されず、現在利用されているあらゆるスライダー付きジッパーを使用することができる。
【００３５】
密閉ジッパー２２は、袋１１の上端部１５において横方向へ延びており、上端部１５を横断している。密閉ジッパー２２は、図３に示すように、一方のフィルム２５ａの内面に位置して縦方向へ並ぶ２本の第２凸型レール３１ａ，３１ｂと、他方のフィルム２５ｂの内面に位置して縦方向へ並ぶ２本の第２凹型レール３２ａ，３２ｂとから形成されている。それら第２凸型レール３１ａ，３１ｂは、フィルム２５ａ，２５ｂと同一の合成樹脂から作られ、フィルム２５ａと一体に成形されている。それら第２凸型レール３１ａ，３１ｂは、袋１１の上端部１５に位置して横方向へ延びており、袋１１の一方の側縁１８と他方の側縁１９との間に形成されて上端部１５を横断している。
【００３６】
それら第２凸型レール３１ａ，３１ｂのうちの一方の第２凸型レール３１ａ（上方に位置する第２凸型レール３１ａ）は、それら第２凹型レール３２ａ，３２ｂのうちの一方の第２凹型レール３２ａ（上方に位置する第２凹型レール３２ａ）に対向している。それら第２凸型レール３１ａ，３１ｂのうちの他方の第２凸型レール３１ｂ（下方に位置する第２凸型レール３１ｂ）は、それら第１凹型レール３２ａ，３２ｂのうちの他方の第２凹型レール３２ｂ（下方に位置する第２凹型レール３２ｂ）に対向している。それら第２凸型レール３１ａ，３１ｂには、第２凹型レール３２ａ，３２ｂに向かって凸となる複数の凸部分３３が形成されている。それら凸部分３３は、第２凸型レール３１ａ，３１ｂにおいて横方向へ間欠的（等間隔離間）に並んでいる。
【００３７】
それら第２凹型レール３２ａ，３２ｂ（３条のレール）は、フィルム２５ａ，２５ｂと同一の合成樹脂から作られ、フィルム２５ｂと一体に成形されている。第２凹型レール３２ａ，３２ｂ（３条のレール）は、袋１１の上端部１５に位置して横方向へ平行して延びており、袋１１の一方の側縁１８と他方の側縁１９との間に形成されて上端部１５を横断している。それら第２凹型レール３２ａ，３２ｂのうちの一方の第２凹型レール３２ａ（上方に位置する第２凹型レール３２ａ）は、それら第２凸型レール３１ａ，３１ｂのうちの一方の第２凸型レール３１ａ（上方に位置する第２凸型レール３１ａ）が嵌入する嵌入溝３４を有し、一方の第２凸型レール３１ａに対向している。
【００３８】
それら第２凹型レール３２ａ，３２ｂのうちの他方の第２凹型レール３２ｂ（下方に位置する第２凹型レール３２ｂ）は、それら第２凸型レール３１ａ，３１ｂのうちの他方の第２凸型レール３１ｂ（下方に位置する第２凸型レール３１ｂ）が嵌入する嵌入溝３４を有し、他方の第２凸型レール３１ｂに対向している。一方の第２凹型レール３２ａの嵌入溝３４には、一方の第２凸型レール３１ａが嵌脱可能に嵌合する（嵌り込む）。他方の第２凹型レール３２ｂの嵌入溝３４には、他方の第２凸型レール３１ｂが嵌脱可能に嵌合する（嵌り込む）。
【００３９】
なお、密閉ジッパー２２が一方のフィルム２５ａの内面に位置して縦方向へ並ぶ１本の第２凸型レールと他方のフィルム２５ｂの内面に位置して縦方向へ並ぶ１本の第２凹型レールとから形成されていてもよい。また、それら第２凸型レール３１ａ，３１ｂが他方のフィルム２５ｂの内面に位置し、フィルム２５ｂと一体に成形されていてもよく、それら第２凹型レール３２ａ，３２ｂが一方のフィルム２５ａの内面に位置し、フィルム２５ａと一体に成形されていてもよい。なお、密閉ジッパー２２は図示のそれに限定されず、現在利用されているあらゆる密閉ジッパーを使用することができる。
【００４０】
補助ジッパー２３は、袋１１の上端部１５において横方向へ延びており、上端部１５を横断している。補助ジッパー１５は、図３に示すように、一方のフィルム２５ａの内面に位置して縦方向へ並ぶ１本の第３凸型レール３５と、他方のフィルム２４ｂの内面に位置して縦方向へ並ぶ１本の第３凹型レール３６とから形成されている。第３凸型レール３５は、フィルム２５ａ，２５ｂと同一の合成樹脂から作られ、フィルム２５ａと一体に成形されている。第３凸型レール３５は、袋１１の上端部１５に位置して横方向へ延びており、袋１１の一方の側縁１８と他方の側縁１９との間に形成されて上端部１５を横断している。第３凸型レール３５は、第３凹型レール３６に対向している。
【００４１】
第３凹型レール３６（２条のレール）は、フィルム２５ａ，２５ｂと同一の合成樹脂から作られ、フィルム２５ｂと一体に成形されている。第３凹型レール３６（２条のレール）は、袋１１の上端部１５に位置して横方向へ平行して延びており、袋１１の一方の側縁１８と他方の側縁１９との間に形成されて上端部１５を横断している。第３凹型レール３６は、第３凸型レール３５が嵌入する嵌入溝３７を有し、第３凸型レール３５に対向している。第３凹型レール３６の嵌入溝３７には、第３凸型レール３６が嵌脱可能に嵌合する（嵌り込む）。
【００４２】
なお、第３凸型レール３５が他方のフィルム２５ｂの内面に位置し、フィルム２５ｂと一体に成形されていてもよく、第３凹型レール３６が一方のフィルム２５ａの内面に位置し、フィルム２５ａと一体に成形されていてもよい。また、ジッパー付き袋１０Ａ（ジッパー付き袋１０Ｂ〜１０Ｄを含む）に補助ジッパー２３が形成されていなくてもよい。補助ジッパー２３は図示のそれに限定されず、現在利用されているあらゆる補助ジッパーを使用することができる。
【００４３】
図５は、使用態様の一例を示すジッパー付き袋１０Ａの斜視図である。図５では、袋１１の収容空間１３に収容された物の図示を省略している。ジッパー付き袋１０Ａでは、袋１１の上部開口１２が開放された図１の状態において、袋１１の収容空間１３に所定の物を収容した後、ジッパー１４によって上部開口１２を閉じる。袋１１の収容空間１３に収容する物として外気との遮断が必要な物や外部へ漏出してはならない物である場合、その物を袋１１に収容した後、密閉ジッパー２２および補助ジッパー２３によって上部開口１２を密閉し、必要ならば、あわせてスライダー付きジッパー２１によって上部開口１２を閉鎖する。
【００４４】
一方の手の指で袋１１の上端部１５の側縁１９近傍を摘持し、他方の手の指で密閉ジッパー２２のそれら第２凸型レール３１ａ，３１ｂとそれら第２凹型レール３２ａ，３２ｂとを挟み込むとともに、補助ジッパー２３の第３凸型レール３５と第３凹型レール３６とを挟み込む。次に、指で第２凸型レール３１ａ，３１ｂと第２凹型レール３２ａ，３２ｂとを押圧し、第３凸型レール３５と第３凹型レール３６とを押圧しつつ、指を袋１１の他方の側縁１９から一方の側縁１８に向かって横方向へ移動させ、それら第２凸型レール３１ａ，３１ｂとそれら第２凹型レール３２ａ，３２ｂとを嵌合させるとともに、第３凸型レール３５と第３凹型レール３６とを嵌合させる。
【００４５】
それら第２凸型レール３１ａ，３１ｂとそれら第２凹型レール３２ａ，３２ｂとが嵌合することで（第２凹型レール３２ａ，３２ｂの嵌入溝３４に第２凸型レール３１ａ，３１ｂが嵌入することで）、密閉ジッパー２２によって袋１１の上部開口１２が密閉され、第３凸型レール３５と第３凹型レール３６とが嵌合することで（第３凹型レール３６の嵌入溝３７に第３凸型レール３５が嵌入することで）、補助ジッパー２３によって袋１１の上部開口１２が密閉される。
【００４６】
なお、ジッパー付き袋１０Ａは、横方向へ間欠的に並ぶ複数の凸部分３３がそれら第２凸型レール３１ａ，３１ｂに形成されているから、第２凸型レール３１ａ，３１ｂと第２凹型レール３２ａ，３２ｂとを指で挟み込んだ状態で指を横方向へ移動させ、それら第２凸型レール３１ａ，３１ｂとそれら第２凹型レール３２ａ，３２ｂとを嵌合させるときに、それら凸部分３３の突き出る感覚が間欠的に指に伝わり、袋１１の上部開口１２が密閉ジッパー２２によって密閉されたことを指の感覚で確認することができる。
【００４７】
次に必要ならば、一方の手の指で袋１１の上端部１５の側縁１９近傍を摘持し、他方の手の指でスライダー付きジッパー２１のスライダー２８を摘持しつつ、スライダー２８を袋１１の他方の側縁１９から一方の側縁１８に向かって横方向へ移動させ、第１凸型レール２６ａ，２６ｂと第１凹型レール２７ａ，２７ｂとを嵌合させる。第１凸型レール２６ａ，２６ｂと第１凹型レール２７ａ，２７ｂとが嵌合することで（第１凹型レール２７ａ，２７ｂの嵌入溝３０に第１凸型レール２６ａ，２６ｂが嵌入することで）、スライダー付きジッパー２１によって袋１１の上部開口１２が閉鎖される。
【００４８】
なお、ジッパー付き袋１０Ａは、横方向へ間欠的に並ぶ複数の凸部２９が第１凸型レール２６ａに形成されているから、スライダー２８を横方向へ移動させて第１凸型レール２６ａ，２６ｂと第１凹型レール２７ａ，２７ｂとを嵌合させるときに、第１凸型レール２６ａのそれら凸部２９がスライダー２８のガイド板２８ａに順に当たり、凸部２９がスライダー２８のガイド板２８ａにおいて弾性変形しつつ弾ける（反発する）ことで、第１凸型レール２６ａ，２６ｂと第１凹型レール２７ａ，２７ｂとの嵌合音（パチパチ音）が間欠的に発生する。
【００４９】
または、ジッパー付き袋１０Ａは、横方向へ間欠的に並ぶ複数の段差（凹凸）が第１凸型レール２６ａに形成されている場合、スライダー２８を横方向へ移動させて第１凸型レール２６ａ，２６ｂと第１凹型レール２７ａ，２７ｂとを嵌合させるときに、それら段差がスライダー２８のガイド板２８ａに順に当たり、段差がスライダー２８のガイド板２８ａにおいて弾性変形しつつ弾ける（反発する）ことで、第１凸型レール２６ａ，２６ｂと第１凹型レール２７ａ，２７ｂとの嵌合音（パチパチ音）が間欠的に発生する。ジッパー付き袋１０Ａは、第１凸型レール２６ａに形成されたそれら凸部２９またはそれら段差によって第１凸型レール２６ａ，２６ｂと第１凹型レール２７ａ，２７ｂとの嵌合音が発生するから、袋１１の上部開口１２がスライダー付きジッパー２１によって閉じられたことをその嵌合音によって確認することができる。
【００５０】
ジッパー付き袋１０Ａは、密閉ジッパー２２のそれら第２凸型レール３１ａ，３１ｂとそれら第２凹型レール３２ａ，３２ｂとを嵌合させ、補助ジッパー２３の第３凸型レール３５と第３凹型レール３６とを嵌合させることで袋１１の上部開口１２を確実に密閉することができるから、外気との遮断が必要な物を収容する袋１１や外部へ物が漏出しないことが必要な袋１１として使用することができる。ジッパー付き袋１０Ａは、密閉ジッパー２２の第２凸型レール３１ａ，３１ｂと第２凹型レール３２ａ，３２ｂとを嵌合させ、補助ジッパー２３の第３凸型レール３５と第３凹型レール３６とを嵌合させて袋１１の上部開口１２を密閉し、必要ならば、スライダー２８を利用してスライダー付きジッパー２１の第１凸型レール２６ａ，２６ｂと第１凹型レール２７ａ，２７ｂとを嵌合させることで、収容した物の外気との接触を防ぐことができ、収容した物の外部への漏出を防ぐことができる。
【００５１】
ジッパー付き袋１０Ａは、密閉ジッパー２２のそれら第２凸型レール３１ａ，３１ｂとそれら第２凹型レール３２ａ，３２ｂとを嵌合させ、補助ジッパー２３の第３凸型レール３５と第３凹型レール３６とを嵌合させるとともに、スライダー付きジッパー２１の第１凸型レール２６ａ，２６ｂと第１凹型レール２７ａ，２７ｂとを嵌合させることで、所定の原因で密閉ジッパー２２のそれら第２凸型レール３１ａ，３１ｂとそれら第２凹型レール３２ａ，３２ｂとの嵌合が不用意に解除され、または、所定の原因で補助ジッパー２３の第３凸型レール３５と第３凹型レール３６との嵌合が不用意に解除され、あるいは、所定の原因でスライダー付きジッパー２１の第１凸型レール２６ａ，２６ｂと第１凹型レール２７ａ，２７ｂとの嵌合が不用意に解除されたとしても、密閉ジッパー２２や補助ジッパー２３、スライダー付きジッパー２１のいずれかによって袋１１の上部開口１２の閉じた状態を保持することができる。
【００５２】
袋１１の収容空間１３から物を取り出すには、一方の手の指で袋１１の上端部１５の側縁１８近傍を摘持し、他方の手の指でスライダー付きジッパー２１のスライダー２８を摘持しつつ、スライダー２８を袋１１の一方の側縁１８から他方の側縁１９に向かって横方向へ移動させ、第１凸型レール２６ａ，２６ｂと第１凹型レール２７ａ，２７ｂとの嵌合を解除し、次に、密閉ジッパー２２の上方に延びる袋１１の上端部１５（スライダー付きジッパー２１と密閉ジッパー２２との間に位置して複数の凸条２４が形成されたフィルム２５ａ，２５ｂ）を両手の指で摘持し、凸型レール３１ａ，３１ｂ，３５と凹型レール３２ａ，３２ｂ，３６とが離間するように袋１１の上端部１５を横方向外方へ引っ張り、それら第２凸型レール３１ａ，３１ｂとそれら第２凹型レール３２ａ，３２ｂとの嵌合を解除するとともに、第３凸型レール３５と第３凹型レール３６との嵌合を解除し、袋１１の上部開口１２を開放する。袋１１の上部開口１２を開放した後、袋１１の収容空間１３から物を取り出す。
【００５３】
図６は、使用態様の他の一例を示すジッパー付き袋１０Ａの斜視図である。図６では、袋１１の収容空間１３に収容された物の図示を省略している。袋１１の収容空間１３に収容する物が外気との接触を許容する物であり、袋１１の上部開口１５を手間を要せず容易に開閉したい場合、袋１１の上部開口１５が開放された図１の状態から収容空間１３にその物を収容した後、密閉ジッパー２２および補助ジッパー２３によって上部開口１２を密閉することなく、既述の手順でスライダー付きジッパー２１のみによって上部開口１２を閉鎖するとともに、既述の手順でスライダー付きジッパー２１の第１凸型レール２６ａ，２６ｂと第１凹型レール２７ａ，２７ｂとの嵌合を解除し、袋１１の上部開口１２を開放する。
【００５４】
ジッパー付き袋１０Ａは、スライダー２８を利用して第１凸型レール２６ａ，２６ｂと第１凹型レール２７ａ，２７ｂとを嵌合させることで袋１１の上部開口１２を閉じることができ、スライダー２８を利用して第１凸型レール２６ａ，２６ｂと第１凹型レール２７ａ，２７ｂとの嵌合を解除することで袋１１の上部開口１２を開けることができるから、上部開口１２を手間を要せず容易に開閉する必要がある袋１１として使用することができる。ジッパー付き袋１０Ａは、密閉ジッパー２３の第２凸型レール３１ａ，３１ｂと第２凹型レール３２ａ，３２ｂとの嵌合を解除し、補助ジッパー２３の第３凸型レール３５と第３凹型レール３６との嵌合を解除した状態で、スライダー２８を利用してスライダー付きジッパー２１の第１凸型レール２６ａ，２６ｂと第１凹型レール２７ａ，２７ｂとを嵌合させ、スライダー２８を利用して第１凸型レール２６ａ，２６ｂと第１凹型レール２７ａ，２７ｂとの嵌合を解除することで、袋１１の上部開口１５を手間を要せず容易に開閉することができる。
【００５５】
図７は、他の一例として示すジッパー付き袋１０Ｂの正面図である。図７では、袋１１の収容空間１３に収容された物の図示を省略している。図７では、横方向を矢印Ａで示し、縦方向を矢印Ｂで示す。このジッパー付き袋１０Ｂが図１のそれと異なるところは、袋１１がその両側縁１８，１９と下端部１７とをシールした三方シール袋である点、スライダー付きジッパー２１と密閉ジッパー２２との間に延びるフィルム２５ａ，２５ｂのシール箇所３８（密閉ジッパー２２の上方に延びる袋１１の上端部１５の側縁１８，１９）に切り口３９（ノッチ）が形成されている点にあり、その他の構成は図１のジッパー付き袋１０Ａと同一であるから、図１の説明を援用するとともに、図１のジッパー付き袋１０Ａと同一の符号を付すことで、このジッパー付き袋１０Ｂのその他の構成の詳細な説明は省略する。
【００５６】
ジッパー付き袋１０Ｂは、内部に所定容積の収容空間１３が形成された袋１１（袋本体）と、袋１１の上部開口１２を開閉可能に封鎖するジッパー１４（チャック機構）とを備え、収容空間１３に所定の物（収容物）を収容する。袋１１は、可撓性を有して互いに対向するフィルム２５ａ，２５ｂ（シート）から作られている。袋１１は、両側縁１８，１９がシールされるとともに下端部１７にシールされることによって作られた三方シール袋である。
【００５７】
ジッパー１４は、袋１１の上端部１５に位置するスライダー付きジッパー２１と、スライダー付きジッパー２１の下方近傍に位置する密閉ジッパー２２と、密閉ジッパー２２の下方近傍に位置する補助ジッパー２３とから形成されている。スライダー付きジッパー２１と密閉ジッパー２２との間に位置する袋１１には、フィルム２５ａ，２５ｂの内面から凸となる複数の凸条２４が形成されている。ジッパー付き袋１０Ｂのスライダー付きジッパー２１や密閉ジッパー２２、補助ジッパー２３は、図１のジッパー付き袋１０Ａのそれらと同一である。
【００５８】
スライダー付きジッパー２１と密閉ジッパー２２との間に延びるフィルム２５ａ，２５ｂのシール箇所３８（密閉ジッパー２２の上方に延びる袋１１の上端部１５の側縁１８，１９）には、袋１１の上端部１５の一方の側縁１８と他方の側縁１９とから横方向内方へ延びる切り口３９（ノッチ）が形成されている。図７では、切り口３９（ノッチ）としてＶノッチ（ユウノッチ）を図示しているが、Ｖノッチの他に、Ｕノッチ（ブイノッチ）、Ｉノッチ（アイノッチ）、かくれ三角ノッチ、三角ノッチを採用することもできる。ジッパー付き袋１０Ｂでは、切り口３９（Ｕノッチ）からフィルム２５ａ，２５ｂを横方向へ切断することでジッパー付き袋１０Ｂからスライダー付きジッパー２１（袋１１の切り口３９から上方の部分）を取り除くことができる。なお、切り口３９（ノッチ）が袋１１の上端部１５の一方の側縁１８と他方の側縁１９といずれかにのみ形成されていてもよい。
【００５９】
スライダー付きジッパー２１を取り除く以前のジッパー付き袋１０Ｂの使用態様は、図１のジッパー付き袋１０Ａのそれと同一である（図５，６参照）。切り口３９からフィルム２５ａ，２５ｂを横方向へ切断し、スライダー付きジッパー２１を取り除いた後のジッパー付き袋１０Ｂは、密閉ジッパー２２および補助ジッパー２３によって袋１１の上部開口１２を密閉する。密閉ジッパー２２および補助ジッパー２３による上部開口１２の開閉は、図１のジッパー付き袋１０Ａの密閉ジッパー２２および補助ジッパー２３による上部開口１２の開閉と同一である。
【００６０】
ジッパー付き袋１０Ｂは、図１のジッパー付き袋１０Ａが有する効果に加え、以下の効果を有する。ジッパー付き袋１０Ｂは、袋１１の上部開口１２を手間を要せず容易に開閉する必要がなく、外気との遮断が必要な物を収容する袋１１や外部へ物が漏出しないことが必要な袋１１としてのみ使用する場合、切り口３９からフィルム２５ａ，２５ｂを横方向へ切断し、ジッパー付き袋１０Ｂから不要なスライダー付きジッパー２１を取り除くことができ、密閉ジッパー２２および補助ジッパー２３のみを残すことができる。
【００６１】
ジッパー付き袋１０Ｂは、スライダー付きジッパー２１を取り除く以前の状態において、袋１１の上部開口１２を手間を要せず容易に開閉する必要がある袋１１として使用することができるとともに、外気との遮断が必要な物を収容する袋１１や外部へ物が漏出しないことが必要な袋１１として使用することができる。また、スライダー付きジッパー２１を取り除いた状態において、外気との遮断が必要な物を収容する袋１１や外部へ物が漏出しないことが必要な袋１１としてのみ使用することができる。
【００６２】
図８は、他の一例として示すジッパー付き袋１０Ｃの斜視図であり、図９は、ジッパー付き袋１０Ｃの正面図である。図８は、袋１１の上部開口１２を開放した状態で示し、図９は、ジッパー１４によって袋１１の上部開口１２を封鎖した状態で示す。図９では、袋１１の収容空間１３に収容された物の図示を省略している。図９では、横方向を矢印Ａで示し、縦方向を矢印Ｂで示す。
【００６３】
このジッパー付き袋１０Ｃが図１のそれと異なるところは、袋１１がその上端部１５の一方の側縁１８から横方向外方へ延びるフィルム２５ａ，２５ｂから作られた第１延出部分４０を有する点、スライダー付きジッパー２１の第１凸型レール２６ａ，２６ｂと第１凹型レール２７ａ，２７ｂとが袋１１の第１延出部分４０にも位置している点にある。ジッパー付き袋１０Ｃのその他の構成は図１のジッパー付き袋１０Ａと同一であるから、図１の説明を援用するとともに、図１のジッパー付き袋１０Ａと同一の符号を付すことで、このジッパー付き袋１０Ｂのその他の構成の詳細な説明は省略する。
【００６４】
ジッパー付き袋１０Ｃは、内部に所定容積の収容空間１３が形成された袋１１（袋本体）と、袋１１の上部開口１２を開閉可能に封鎖するジッパー１４（チャック機構）とを備え、収容空間１３に所定の物（収容物）を収容する。袋１１は、可撓性を有して互いに対向するフィルム２５ａ，２５ｂ（シート）から作られている。袋１１は、両側縁１８，１９がシールされるとともに、マチ２０が下端部１７にシールされることによって作られたスタンド袋（自立型袋）である。袋１１は、その上端部１５の一方の側縁１８から横方向外方へ延びるフィルム２５ａ，２５ｂから作られた第１延出部分４０を有する。
【００６５】
ジッパー１４は、袋１１の上端部１５および第１延出部分４０に位置するスライダー付きジッパー２１と、スライダー付きジッパー２１の下方近傍に位置する密閉ジッパー２２と、密閉ジッパー２２の下方近傍に位置する補助ジッパー２３とから形成されている。スライダー付きジッパー２１と密閉ジッパー２２との間に位置する袋１１には、フィルム２５ａ，２５ｂの内面から凸となる複数の凸条２４が形成されている。ジッパー付き袋１０Ｂの密閉ジッパー２２や補助ジッパー２３は、図１のジッパー付き袋１０Ａのそれらと同一である。
【００６６】
スライダー付きジッパー２１は、袋１１の上端部１５と第１延出部分４０とにおいて横方向へ延びており、上端部１４を横断しつつ、第１延出部分４０において上端部１５の一方の側縁１８から横方向外方へ延出している。スライダー付きジッパー２１は、一方のフィルム２５ａの内面に位置する１本の第１凸型レール２６ａ，２６ｂと、他方のフィルム２５ｂの内面に位置する１本の第１凹型レール２７ａ，２７ｂと、第１凸型レール２６ａ，２６ｂと第１凹型レール２７ａ，２７ｂとを挟むスライダー２８とから形成されている（図２参照）。
【００６７】
第１凸型レール２６ａ，２６ｂは、ジッパー付き袋１０Ａのそれと同一であり、袋１１の上端部１５と第１延出部分４０とに位置して横方向へ延びており、上端部１５を横断しつつ、第１延出部分４０において上端部１５の一方の側縁１８から横方向外方へ延出している。第１凸型レール２６ａ，２６ｂは、第１凹型レール２７ａ，２７ｂに対向している。第１凸型レール２６ａには、第１凹型レール２７に向かって凸となる複数の凸部２９が形成されている。それら凸部２９は、第１凸型レール２６ａにおいて横方向へ間欠的（等間隔離間）に並んでいる。
【００６８】
第１凹型レール２７ａ，２７ｂは、ジッパー付き袋１０Ａのそれと同一であり、袋１１の上端部１５と第１延出部分４０とに位置して横方向へ延びており、上端部１５を横断しつつ、第１延出部分４０において上端部１５の一方の側縁１８から横方向外方へ延出している。第１凹型レール２７ａ，２７ｂは、第１凸型レール２６ａ，２６ｂに対向している。第１凹型レール２７ａ，２７ｂの嵌入溝３０には、第１凸型レール２６ａ，２６ｂが嵌脱可能に嵌合する（嵌り込む）。スライダー２８は、ジッパー付き袋１０Ａのそれと同一である。
【００６９】
ジッパー付き袋１０Ｃの使用態様は、図１のジッパー付き袋１０Ａのそれと同一である（図５，６参照）。なお、スライダー付きジッパー２１によって袋１１の上部開口１２を閉鎖する場合、スライダー２８を摘持しつつ、スライダー２８を袋１１の他方の側縁１９から一方の側縁１８に向かって横方向へ移動させるとともに、スライダー２８を一方の側縁１８から第１延出部分４０に向かって横方向へ移動させ、袋１１の上端部１５と第１延出部分４０とにおいて第１凸型レール２６ａ，２６ｂと第１凹型レール２７ａ，２７ｂとを嵌合させる。
【００７０】
スライダー２８が袋１１の上端部１５の一方の側縁１８に位置すると袋１１の一方の側縁１８において第１凸型レール２６ａ，２６ｂと第１凹型レール２７ａ，２７ｂとが嵌合しない箇所が生じ、袋１１の上端部１５の一方の側縁１８において隙間が生じるが、ジッパー付き袋１０Ｃは、スライダー付きジッパー２１によって袋１１の上部開口１５を閉鎖するときに、スライダー２８が第１延出部分４０まで移動し、第１延出部分４０の第１凸型レール２６ａ，２６ｂと第１凹型レール２７ａ，２７ｂとが嵌合するから、袋１１の上端部１５の一方の側縁１８において隙間が生じることはない。
【００７１】
ジッパー付き袋１０Ｃは、図１のジッパー付き袋１０Ａが有する効果に加え、以下の効果を有する。ジッパー付き袋１０Ｃは、スライダー２８が袋１１の上端部１５の一方の側縁１８に位置すると袋１１の一方の側縁１８において第１凸型レール２６ａ，２６ｂと第１凹型レール２７ａ，２７ｂとが嵌合しない箇所が生じ、袋１１の上端部１５の一方の側縁１８において隙間が生じるが、袋１１の上端部１５と第１延出部分４０とに位置する第１凸型レール２６ａ，２６ｂと第１凹型レール２７ａ，２７ｂとをスライダー２８によって嵌合させることで、袋１１の上端部１５の一方の側縁１８において隙間が生じることはなく、スライダー付きジッパー２１によって袋１１の上部開口１５を密閉することができる。
【００７２】
ジッパー付き袋１０Ｃは、スライダー付きジッパー２１の第１凸型レール２６ａ，２６ｂと第１凹型レール２７ａ，２７ｂとを嵌合させ、密閉ジッパー２２の第２凸型レール３１ａ，３１ｂと第２凹型レール３２ａ，３２ｂとを嵌合させるとともに、補助ジッパー２３の第３凸型レール３５と第３凹型レール３６とを嵌合させることで、スライダー付きジッパー２１と密閉ジッパー２２と補助ジッパー２３とによって袋１１の上部開口１５を密閉することができるから、収容した物の外気との接触を確実に防ぐことができ、収容した物の外部への漏出を確実に防ぐことができる。
【００７３】
図１０は、他の一例として示すジッパー付き袋１０Ｄの斜視図であり、図１１は、ジッパー付き袋１０Ｄの正面図である。図１０は、袋１１の上部開口１２を開放した状態で示し、図１１は、ジッパー１４によって袋１１の上部開口１２を封鎖した状態で示す。図１１では、袋１１の収容空間１３に収容された物の図示を省略している。図１１では、横方向を矢印Ａで示し、縦方向を矢印Ｂで示す。
【００７４】
このジッパー付き袋１０Ｄが図１のそれと異なるところは、袋１１がその上端部１５の一方の側縁１８から横方向外方へ延びるフィルム２５ａ，２５ｂから作られた第１延出部分４０を有する点、袋１１がその上端部１５の他方の側縁１９から横方向外方へ延びるフィルム２５ａ，２５ｂから作られた第２延出部分４１を有する点、スライダー付きジッパー２１の第１凸型レール２６ａ，２６ｂと第１凹型レール２７ａ，２７ｂとが袋１１の第１延出部分４０および第２延出部分４１にも位置している点にある。ジッパー付き袋１０Ｄのその他の構成は図１のジッパー付き袋１０Ａと同一であるから、図１の説明を援用するとともに、図１のジッパー付き袋１０Ａと同一の符号を付すことで、このジッパー付き袋１０Ｄのその他の構成の詳細な説明は省略する。
【００７５】
ジッパー付き袋１０Ｄは、内部に所定容積の収容空間１３が形成された袋１１（袋本体）と、袋１１の上部開口１２を開閉可能に封鎖するジッパー１４（チャック機構）とを備え、収容空間１３に所定の物（収容物）を収容する。袋１１は、可撓性を有して互いに対向するフィルム２５ａ，２５ｂ（シート）から作られている。袋１１は、両側縁１８，１９がシールされるとともに、マチ２０が下端部１７にシールされることによって作られたスタンド袋（自立型袋）である。袋１１は、その上端部１５の一方の側縁１８から横方向外方へ延びるフィルム２５ａ，２５ｂから作られた第１延出部分４０を有し、その上端部１５の他方の側縁１９から横方向外方へ延びるフィルム２５ａ，２５ｂから作られた第２延出部分４１を有する。
【００７６】
ジッパー１４は、袋１１の上端部１５と第１および第２延出部分４０，４１に位置するスライダー付きジッパー２１と、スライダー付きジッパー２１の下方近傍に位置する密閉ジッパー２２と、密閉ジッパー２２の下方近傍に位置する補助ジッパー２３とから形成されている。スライダー付きジッパー２１と密閉ジッパー２２との間に位置する袋１１には、フィルム２５ａ，２５ｂの内面から凸となる複数の凸条２４が形成されている。ジッパー付き袋１０Ｄの密閉ジッパー２１や補助ジッパー２３は、図１のジッパー付き袋１０Ａのそれらと同一である。
【００７７】
スライダー付きジッパー２１は、袋１１の上端部１５と第１および第２延出部分４０，４１とにおいて横方向へ延びており、上端部１５を横断しつつ、第１延出部分４０において上端部１５の一方の側縁１８から横方向外方へ延出し、第２延出部分４１において上端部１５の他方の側縁１９から横方向外方へ延出している。スライダー付きジッパー２１は、一方のフィルム２５ａの内面に位置する１本の第１凸型レール２６ａ，２６ｂと、他方のフィルム２５ｂの内面に位置する１本の第１凹型レール２７ａ，２７ｂと、第１凸型レール２６ａ，２６ｂと第１凹型レール２７ａ，２７ｂとを挟むスライダー２８とから形成されている（図２参照）。
【００７８】
第１凸型レール２６ａ，２６ｂは、ジッパー付き袋１０Ａのそれと同一であり、袋１１の上端部１５と第１延出部分４０と第２延出部分４１とに位置して横方向へ延びており、上端部１５を横断しつつ、第１延出部分４０において上端部１５の一方の側縁１８から横方向外方へ延出し、第２延出部分４１において上端部１５の他方の側縁１９から横方向外方へ延出している。第１凸型レール２６ａ，２６ｂは、第１凹型レール２７ａ，２７ｂに対向している。第１凸型レール２６ａには、第１凹型レール２７ａに向かって凸となる複数の凸部２９が形成されている。それら凸部２９は、第１凸型レール２６ａにおいて横方向へ間欠的（等間隔離間）に並んでいる。
【００７９】
第１凹型レール２７ａ，２７ｂは、ジッパー付き袋１０Ａのそれと同一であり、袋１１の上端部１５と第１延出部分４０と第２延出部分４１とに位置して横方向へ延びており、上端部１５を横断しつつ、第１延出部分４０において上端部１５の一方の側縁１８から横方向外方へ延出し、第２延出部分４１において上端部１５の他方の側縁１９から横方向外方へ延出している。第１凹型レール２７ａ，２７ｂは、第１凸型レール２６ａ，２６ｂに対向している。第１凹型レール２７ａ，２７ｂの嵌合溝３０には、第１凸型レール２６ａ，２６ｂが嵌脱可能に嵌合する。スライダー２８は、ジッパー付き袋１０Ａのそれと同一である。
【００８０】
ジッパー付き袋１０Ｄの使用態様は、図１のジッパー付き袋１０Ａのそれと同一である（図５，６参照）。なお、スライダー付きジッパー２１によって袋１１の上部開口１２を閉鎖する場合、スライダー２８を摘持しつつ、スライダー２８を第２延出部分４１から袋１１の他方の側縁１９に向かって移動させ、スライダー２８を袋１１の他方の側縁１９から一方の側縁１８に向かって横方向へ移動させるとともに、スライダー２８を一方の側縁１８から第１延出部分４０に向かって横方向へ移動させ、袋１１の上端部１５と第１および第２延出部分４０，４１とにおいて第１凸型レール２６ａ，２６ｂと第１凹型レール２７ａ，２７ｂとを嵌合させる。
【００８１】
スライダー２８が袋１１の上端部１５の一方の側縁１８に位置すると袋１１の一方の側縁１８において第１凸型レール２６ａ，２６ｂと第１凹型レール２７ａ，２７ｂとが嵌合しない箇所が生じ、袋１１の上端部１５の一方の側縁１８において隙間が生じるが、ジッパー付き袋１０Ｄは、スライダー付きジッパー２１によって袋１１の上部開口１２を閉鎖するときに、スライダー２８が第１延出部分４０に移動し、第１延出部分４０の第１凸型レール２６ａ，２６ｂと第１凹型レール２７ａ，２７ｂとが嵌合するから、袋１１の上端部１５の一方の側縁１８において隙間が生じることはない。
【００８２】
袋１１の上部開口１２を開放するには、スライダー２８を袋１１の第１延出部分４０から袋の一方の側縁１８に向かって横方向へ移動させ、スライダー２８を袋１１の一方の側縁１８から他方の側縁１９に向かって横方向へ移動させるとともに、スライダー２８を袋１１の第２延出部分４１に移動させ、第１凸型レール２６ａ，２６ｂと第１凹型レール２７ａ，２７ｂとの嵌合を解除する。袋１１の上部開口１２を開放したときに、スライダー２８が袋１１の他方の側縁１９に存在すると、スライダー２８によって上部開口１２の一部が塞がれ、スライダー２８が物の出し入れの邪魔になるが、ジッパー付き袋１０Ｄは、第１凸型レール２６ａ，２６ｂと第１凹型レール２７ａ，２７ｂとの嵌合が解除された時点でスライダー２８が第２延出部分４１に位置するから、スライダー２８が袋１１の収容空間１３への物の収容や袋１１の収容空間１３からの物の取り出しの邪魔になることはない。
【００８３】
ジッパー付き袋１０Ｄは、図１および図８のジッパー付き袋１０Ａ、１０Ｃが有する効果に加え、以下の効果を有する。ジッパー付き袋１０Ｄは、第１凸型レール２６ａ，２６ｂと第１凹型レール２７ａ，２７ｂとの嵌合が解除された時点でスライダー２８が第２延出部分４１に位置するから、スライダー２８が袋１１の上端部１５の側縁１９に位置する場合と比較し、スライダー２８が袋１１の収容空間１３（内部）への物の収容や袋１１の収容空間１３（内部）からの物の取り出しの邪魔になることはなく、たとえば袋１１の横寸法と略同一の幅寸法を有する物を袋１１の上部開口１２から袋１１の収容空間１３（内部）に収容することができ、物を袋の収容空間１３（内部）から容易に取り出すことができる。
【符号の説明】
【００８４】
１０Ａ  ジッパー付き袋
１０Ｂ  ジッパー付き袋
１０Ｃ  ジッパー付き袋
１０Ｄ  ジッパー付き袋
１１    袋（袋本体）
１２    上部開口
１３    収容空間
１４    ジッパー
１５    上端部
１６    中間部
１７    下端部
１８    側縁
１９    側縁
２０    マチ（底フィルム）
２１    スライダー付きジッパー
２２    密閉ジッパー
２３    補助ジッパー
２４    凸条
２５ａ  フィルム
２５ｂ  フィルム
２６ａ  第１凸型レール
２６ｂ  第１凸型レール
２７ａ  第１凹型レール
２７ｂ  第１凹型レール
２８    スライダー
２８ａ  ガイド板
２９    凸部
３０    嵌入溝
３１ａ  第２凸型レール
３１ｂ  第２凸型レール
３２ａ  第２凹型レール
３２ｂ  第２凹型レール
３３    凸部分
３４    嵌入溝
３５    第３凸型レール
３６    第３凹型レール
３７    嵌入溝
３８    シール箇所
３９    切り口（ノッチ）
４０    第１延出部分
４１    第２延出部分
【図１】
2018203349.tif 000003
【図２】
2018203349.tif 000004
【図３】
2018203349.tif 000005
【図４】
2018203349.tif 000006
【図５】
2018203349.tif 000007
【図６】
2018203349.tif 000008
【図７】
2018203349.tif 000009
【図８】
2018203349.tif 000010
【図９】
2018203349.tif 000011
【図１０】
2018203349.tif 000012
【図１１】
2018203349.tif 000013